(57)【要約】【課題】  一定条件の下で、直音を１英字で、拗音を２英字で入力するローマ字簡略入力方法において、１音節付属語の母音も、活用自立語の語尾の母音も省略する簡略入力が可能で、かつ仮名漢字への直接変換および出力処理を簡単化すること。【解決手段】  各１音節付属語に対応する簡略入力英字として、対応する１音節付属語を連想し易く、かつ識別し易いように、アルファベットを配分し、並びに各行が検索英字列に相当する見出し欄、参考英字列欄、変換仮名漢字欄、検索英字列の少なくとも一部を参考や再変換のために回帰する回帰処方欄、および再変換のための上書き処方欄等からなる簡略ローマ字−仮名漢字直接変換処理辞書を備える。【選択図】図１
2007226751.tif 000002
【特許請求の範囲】
【請求項１】
ア行およびワ行の「う」を従来の“ｕ”の代わりに“ｗ”で入力し、ヤ行の「や」、「ゆ」、「よ」を“ｙ”，ｕ“，”ｊ“の１英字で入力するとともに、これらを拗音に適用してほとんどの拗音を２英字で入力し、促音「つ」を”ｔ“で、撥音「ん」を”ｎ“で、ア行およびヤ行を除く直音に関しては、少なくとも２音節以下の無活用自立語と、および少なくとも２音節以下の語幹とを除外して、従属母音を略して、１音節付属語および「わ」の簡略入力を表２のように１英字で行い、検索英字列が少なくとも１英字からなるか、または参考、再変換などのために回帰された回帰英字列が存在すれば、この回帰英字列に少なくとも１英字が連結して形成され、各行が検索英字列に相当する見出し欄と、検索英字列中の被変換英字列に対応する仮名漢字と、必要に応じて次送り英字列の記載された変換文字列欄と、および参考や再変換のために検索英字列形成部に回帰すべき英字列を指定する回帰処方欄と、特に再変換の行われた際の変換された仮名漢字を適所に出力表示するための上書きバイト数を指示した上書き処方欄とを少なくとも設けた簡略ローマ字−仮名漢字直接変換処理辞書に上記検索英字列を参照して、変換された仮名漢字を出力表示することを繰り返して、ディスプレイ上に仮名漢字文を出力表示していくことを特徴とするローマ字簡略入力直接変換処理方法。
【発明の詳細な説明】
【技術分野】
【０００１】  本発明は、パソコン、ワードプロセッサ、携帯電話等に適用されるローマ字簡略入力直接変換処理方法に関する。
【背景技術】
【０００２】  ローマ字の簡略入力方法および簡略ローマ字−仮名漢字直接変換装置については公開されており（特許文献１を参照）、その概略を次に説明する：【０００３】  ア行およびワ行の「う」のローマ字表記を従来の“ｕ”から“ｗ”に、ヤ行の「や」、「ゆ」、「よ」を従来の“ｙａ”、“ｙｕ”、“ｙｏ“の２英字表記からそれぞれ”ｙ“、“ｕ”、“ｊ”の１英字で表記するとともに、これによりほとんどの拗音を２英字（例えば、「しゃ」、「しゅ」、「しょ」は“ｓｙ”、“ｓｕ”、“ｓｊ”）で表記する。この表記に従って、ヤ行を１英字で、拗音を２英字で簡略入力することが可能である。（非特許文献１を参照）【０００４】  さらに、ア行およびヤ行を除く直音に関しては、母音（ア行の母音を独立母音とし、他行の母音を従属母音とする）を略して子音だけ（例えば、「か」を従来の“ｋａ”の代わりに“ｋ”だけ）を一定の制限の下に、すなわち、大約して、「１音節付属語と、すべての活用自立語の語尾と、２音節の以下の語幹と、および２音節以下の無活用自立語とを除外して従属母音を省略する」という条件下に簡略入力する。（特許文献１を参照）【０００５】  例えば、「桜が咲きます。」を出力表示する場合、ローマ字入力では通常“ｓａｋｕｒａｇａｓａｋｉｍａｓｕ．”と入力されるが、上述の簡略入力では下線の部分が簡略されて“ｓｋｒｇａｓａｋｉｍｓ．”と入力され，この場合、省略英字数に相当する５打鍵が節減できる。【０００６】
【非特許文献１】  「Ｃｏｍｐｕｔｅｒ  Ｔｏｄａｙ」誌（１９９３／１１．Ｎｏ．５８）
【特許文献１】  特開２０００−２０５１７号  公報
【発明の開示】
【発明が解決しようとする課題】
【０００７】  上記の従来法では、ローマ字の簡略入力に関して、その条件の内、１音節付属語および活用自立語の語尾が簡略されていない点において、簡略化が不十分である。例えば、上例の「桜が」の「が」を出力表示するためには、“ｇａ”と入力され、１音節付属語の従属母音（下線の部分）が、また、「咲きます」は“ｓａｋｉｍｓ”と入力され、語尾の従属母音（下線の部分）が省略されていない。さらに、ワ行の「わ」および「を」は簡略すると、どちらも“ｗ”となり、「う」に対応する“ｗ”と同一となることも問題である。さらに、簡略ローマ字−仮名漢字直接変換に、付属語辞書、無活用自立語辞書および活用自立語辞書（または語幹辞書（特許文献２を参照））など、複数の辞書が用いられており、これが直接変換や、これに伴う出力表示などの処理を複雑化しており、ひいては、上述の不十分な簡略化の原因になっている。以上から、本発明の目的は、ローマ字の簡略入力直接変換処理方法に関する上述した重大な諸欠点を除去することである。
【特許文献２】  特開２０００−７６２４２号  公報
【課題を解決するための手段】
【０００８】  本発明では、従来法で通常使用されている付属語辞書、無活用自立語辞書および活用自立語辞書（または語幹辞書）などを統合改変するとともに、さらに、辞書に参照される検索英字列の少なくとも一部が無変換、参考、或いは既に出力表示された仮名漢字の再変換のために行われる回帰（この英字列を「回帰英字列」とする。この内、再変換の際、検索英字列の尾部が、変換を受けないで回帰され、次回の変換に適用される場合を、特に、「次送り英字列」とする）や、再変換された仮名漢字を適正な位置で出力表示するための上書きなどの処方も併せ指示した簡略ローマ字−仮名漢字直接変換辞書（以下、「直接変換辞書」と略記）を編集し、検索英字列をこの辞書のみの、従って、一回のみの辞書参照で仮名漢字に変換・出力表示し、これを繰り返すことにより仮名漢字文がディスプレイ上に表示されていくもので、加えて、この辞書の使用によって、１音節付属語の簡略入力も、活用自立語の語尾の簡略入力も可能とするものである。【０００９】  検索英字列は、少なくとも１入力英字からなり、回帰英字列があれば、これに、少なくとも１入力英字が連結されて形成される。この検索英字列を上記直接変換辞書に参照し、その見出しと一致した場合に、同一行の各欄の記載に従って仮名漢字への直接変換処理が行われる。表１に辞書の各行に記載する項目を列記した。
【表１】
2007226751.tif 000003
【００１０】  検索英字列（見出し；欄Ａ）は、基本的には、自立語英字列および／または付属語英字列からなる被変換英字列（欄Ｃを参照）基幹とし、仮名漢字（欄Ｄ）に直接変換される。被変換英字列以外に、これに後連結した次送り英字列（欄Ｅ）が、頻度は少ないが、含まれる場合があり、さらに、検索英字列の少なくとも一部が、変換の際の単なる参考で、変換の対象とはならない参考英字列（欄Ｂ）として利用される。出力表示文字列は（欄Ｄ，Ｅ）変換仮名漢字のみの場合が多いが次送り英字列（欄Ｅ）があれば、これを伴う。欄Ｆは上書きを記号”Ｗｎ”で、欄Ｇは回帰英字列を記号ＢｗまたはＢｎで処方するもので、”ｗ”は検索英字列全体を、“ｎ”はバイト数を表す。検索英字列の辞書参照による直接変換処理の例については、［発明を実施するための最良の形態］の節において、具体的に説明する。【００１１】  次に、１音節付属語を簡略入力するための対応する英字について説明する。検索英字列中には”ｇ”、“ｈ”などが、自立語の１構成素子としても、１音節付属語としても存在しうるが、例えば、順に”ｓ”，”ｋ”，”ｒ”と入力し、検索英字列が３英字の“ｓｋｒ”となり、直接変換辞書に参照して、無活用自立語の「桜＊」（＊記号は第１変換候補語の印である）に変換される。この検索英字列“ｓｋｒ”が参考英字列として回帰され、新たに”ｇ”が入力された場合、”ｇ”は回帰された参考英字列から、１音節付属語として判定され、「が」に変換させることができる。すなわち、参考英字列の利用により、原則として、１音節付属語を、従属母音を省略した子音と対応する１英字で簡略入力することが可能である。このようにすると、例えば「は」と「へ」のように、対応する簡略入力英字としての子音がどちらも“ｈ”で識別が困難になる。表２には、１音節付属語および「わ」に対応する簡略入力英字として、対応する１音節付属語を連想し易く、かつ識別し易いように、アルファベット（英字）配分を行い、アルファベット順に並べて纏めたものを表２に示す。
【表２】
2007226751.tif 000004
【００１２】  この表において、１音節付属語「だ」および「で」の対応簡略英字はどちらも“ｄ”である（欄２）が、仮名への変換の場合、機能性によって識別される。すなわち、「だ」は助動詞「だ」の終止・連体形であり、「で」は中止・連用形であるので、連接する体言または用言、或いは後続する“．”（→“。”）か，“，”（→“、”）によって一般には識別される。なお、「→」は左から右へ変換されることを指示する。「た」、「て」、「と」および「っ」（欄８）の対応する簡略入力英字は、いずれも“ｔ”である。「っ」は「走った」などの音便による促音化から他の３者とは識別される。「と」は助詞であるので、助動詞である「た」と「て」とは識別される。「た」と「て」は「だ」と「で」の場合と同様に識別される。【００１３】  簡略英字”ｎ”は、欄７に示すように、１音節付属語として「な」行の「な」、「に」、「ね」、「の」の４個と、さらに、撥音の「ん」にも対応しているので、これにより、これ等の打鍵数は激減するが、互いの識別度は弱い。「ん」は活用自立語では、「飛んだ」のように「ん」音便の特殊な場合として識別できる。無活用自立語では、２音節以下のものは簡略されないので、互いにかなり識別できる。「な」、「に」、「の」に関して、「な」形容調の語尾としての連体形「な」か、連用形「に」かによって識別される。助詞の「に」と「の」は単文節の単位では識別は困難である。このような場合、本発明では、必要に応じて、それらより長い英字列を検索英字列（見出し）として、機能性、連接性、句読点などを考慮して、柔軟に仮名漢字に直接変換するもので、これによって識別度を高めている。なお、従来では簡略入力されていなかった「わ」についても、欄９に示すように“ｖ”で簡略入力することにした。【００１４】  また、活用自立語に関しては、その対応英字列に連結した助動詞、例えば、検索英字列が“ｓａｋｍｓ”とすると、先頭の“ｓａｋ”は５段活用形動詞の語幹で「咲く＊」に変換されるが、後尾の“ｍｓ”（ます）から語尾の活用形が判定され、“ｋ”の１英字で入力しても連用形の”ｋｉ“→「き」に決定されるので、仮名漢字「咲きます」に直接変換される。このようにして、語尾の簡略入力が可能になる。ちなみに、終止形および中止形には助動詞の代わりにそれぞれ”．“および“，”が連結され、これ等は句読点に変換される。なお、“．”を入力した場合は、「。」を出力表示するだけで良いが、“，”（コンマ）を入力した場合は、「ました」を「まして」に変え、同時に「、」を出力表示しなければならない。［発明を実施するための最良の形態］の節において、具体例について説明する。【００１５】  次に、ローマ字の簡略入力の場合、被変換英字列の英字数がどれくらいが適当であるかについて概略的に考察する。通常のローマ字入力で形成される非簡略ローマ字英字列が主として子音−母音、母音−子音、母音−母音の３種の連結しかないのに対して、上述のように、簡略入力は、従属母音が省略された子音のみで行われるので、上記の連結種に加えて、子音−子音の連結種が加わる。さらに、５個の母音数に比べて、子音数が非常に多いことから隣接する英字間の組み合わせ数は、３英字数以上からなる���字列で激増する。このことは、上述した「２音節以下の無活用自立語および２音節の以下の語幹を除外して簡略する」という条件の下で簡略入力しても十分な識別度でもって直接変換の可能なことが示唆される。加えて、３音節や４音節の語または文節の多いことから、本発明は、原則として、この音節数付近の英字列を解析し直接変換することにしたものである。このような理由から、直接変換辞書は作成されており、その見出し（検索英字列）には、３英字または４英字のものが多いが、単に単語のみならず、単文節タイプの句など、必要に応じて柔軟に、すなわち、より短い、或いはより長い英字列のものまで見出しとして用い、ずばり直接変換した仮名漢字を索出し、出力表示するようにしている。
【発明の効果】
【００１６】  （１）上述した簡略ローマ字−仮名漢字直接変換処理辞書を用いたことにより、辞書の参照は１回のみですむことから変換速度の増大することに加えて、より簡単な直接変換処理が達成できた。【００１７】  （２）１音節付属語および「わ」に対応する簡略入力英字を表２のように配分するとともに、活用自立語の語尾を簡略入力することと相まって、検索英字列を上記直接変換辞書に参照することによって、「少なくとも２音節以下の無活用自立語と、および少なくとも２音節以下の語幹とを除外する」と言う条件で、従属母音を省略したローマ字簡略入力が可能になり、必要な打鍵数の激減を達成できた。【００１８】  （３）特に、「わ」および「を」のそれぞれの対応英字として”ｖ“および“ｘ”を用いた（欄９，１０）ので「あ」「や」「わ」の３行のローマ字すべてを１英字で簡略入力できることになる。さらに、「わ」と同音の付属語（助詞）の「は」はそれぞれ“ｖ”と”ｈ”で入力されるので識別される（欄５，９）。「を」（欄１０）の入力について、従来は「わ」キーの打鍵に加えてシフトキーの押圧が必要であったが、“ｘ”の１打鍵のみで入力できることになったことに加えて、”ｏ”で表記される「お」と識別できるようになった。【００１９】  （４）「ば」行、「が」行および「ま」行では、１音節付属語がそれぞれ「ば」、「が」および「も」の１個づつであるので、“ｂ”，“ｇ”およぴ”ｍ“と−意的に対応させることができる（欄１、４、６）。【００２０】  （５）「は」行では１音節付属語として「は」および「へ」があるが、これは「へ」に”ｆ“を対応させたことにより、「は」に対応する”ｈ”と識別される（欄３、５）。【００２１】  （６）ローマ字の簡略入力で、特に英字の入力を小文字のみで、または大文字のみで、さらに”，”および“．”を入力して、それぞれ「、」および「。」に変換し、出力表示することにより、仮名漢字および句読点の出力表示をシフトキーの使用無しで行うことができる。【００２２】  （７）活用自立語の終止・連体形に対応する英字列は、従来の簡略方法では、特に、同音異義語の多い２音節の場合に語尾を簡略しないので、無活用自立語と同じ英字列（同形）となり（例えば、「咲く」と「柵」はどちらも簡略されずに“ｓａｋｗ”である）、識別されないのに対して、本発明による活用自立語の語尾を簡略する場合は、語尾の従属母音“ｗ”を省略し、例えば「咲く」は“ｓａｋ”で簡略入力するので、従属母音を簡略しない無活用自立語の「柵“ｓａｋｗ”」とは識別可能となった。
【発明の実施するための最良の形態】
【００２３】  以下、本発明の実施の形態を図面に基づいて説明する。図１は本発明のローマ字簡略入力直接変換処理方法を実施するための装置を概略的に図解したブロック図で、１は、入力部で、ローマ字を簡略入力するための英字入力手段１１、例えば、キーボードと、入力英字表示部１２とからなり、２は検索英字列形成部で、検索英字列は少なくとも１入力英字を含み、回帰英字列があれば、これに少なくとも１入力英字が連結されて形成される。３は分岐ブロックで、検索英字列は、本明細書の各例では、２英字以下であれば、特別に指定された英字（列）や符号などを除き、経路（ａ）を経て回帰され、３英字以上であれば、直接変換出力部４に進む。４は簡略ローマ字−仮名漢字直接変換処理辞書（「直接変換辞書」と略す）４ｄを備えた変換出力部で、この辞書の記載に従って仮名漢字への変換および出力が行われる。同時に、無変換、参考、再変換などのための回帰（経路（ｂ））、再変換のための上書き（経路（ｃ））、次送り英字列の表示（経路（ｄ））などの処理も行われる。５は全出力文字列の表示部である。
【００２４】  次に、上述した直接変換装置を使い、“ｓｋｒｇｓａｋｍｓｔ．”を入力して「桜が咲きました。」を出力表示する経過について表３を参考に説明する。この表のＨ欄、すなわち全出力文字列表示欄は説明を容易にするために付したもので、辞書には記載されないものである。参考英字列（Ｂ）欄および被変換英字列（Ｃ）欄は必ずしも辞書に設ける必要は無いが、記載した方が便利に利用できる。なお、本明細書において述べる変換例では、「変換仮名漢字」欄に、複数の候補として、活用自立語と無活用自立語とが混在する場合には、活用自立語を優先候補とした。
【表３】
2007226751.tif 000005
【００２５】  先ず、入力部１において、英字入力手段１１、例えば、キーボード、を介してローマ字連続して簡略入力され、表示される。検索英字列形成部２において、最初は回帰英字列が無いので、入力された英字列そのものが検索英字列で、順に“ｓ”，“ｋ”，“ｒ”が入力され、検索英字列が３英字の”ｓｋｒ“になると、分岐ブロック３を経て直接変換出力部４に進み、直接変換辞書４ｄに参照される。表３の行１の見出しと一致し、「桜＊」（＊記号は第１変換候補語の印である）に変換される。上書き処方はＷ０であるから、変換語である「桜」がそのまま出力表示される。処方Ｂｗにより検索英字列全体の”ｓｋｒ“が検索英字列形成部２に回帰される。
【００２６】  次いで、“ｇ”が入力され、回帰英字列“ｓｋｒ”に連結されて、検索英字列は“ｓｋｒｇ”になる。これは行２の見出しと一致する。頭部の“ｓｋｒ”は参考英字列で名詞の「桜」に対応する英字列であるから、後端の“ｇ”は助詞「が」に変換される。処方“Ｗ０”により上書きは無く、「が」が出力表示され、表示は「桜が」になる。“Ｂ０”に従って回帰英字列は無い。
【００２７】  次いで、順に“ｓ”，“ａ”，“ｋ”が入力され、３英字からなる検索英字列が形成されると、分岐ブロック３を経て直接変換出力部４に移り、直接変換辞書４ｄに参照される。行３の見出しと一致し、「咲く＊」に変換される。処方”Ｗ０“により上書きは無く、「咲く」が出力表示され、表示は「桜が咲く」になる。”Ｂｗ“に従って検索英字列の”ｓａｋ“が検索英字列形成部２に回帰される。
【００２８】  次いで、“ｍ”が入力され、４英字からなる検索英字列“ｓａｋｍ”が直接変換出力部４に進み、直接変換辞書４ｄに参照される。一致する見出しが無いので、経路（ｂ）を通って検索英字列形成部２に回帰される。次いで、“ｓ”が入力され、５英字からなる検索英字列“ｓａｋｍｓ”が直接変換出力部４に移り、直接変換辞書４ｄに参照される。これは行４の見出しと一致し、検索英字列そのものが参考英字列として欄Ｂに記載されており、これに基ずいて、尾部の“ｍｓ”が語幹に連接した助動詞に対応するとして判断でき、尾部“ｋｍｓ”の後部“ｍｓ”が助動詞で、その前の”ｋ”が連用形の“ｋｉ”と解釈されて「き」になり、従って、被変換英字列の“ｋｍｓ”が変換仮名漢字欄の「きます」に変換され出力表示される。処方“Ｗ２”により既表示の文字列後端から２バイト（１全角）の「く」が上書きされるので、表示は「桜が咲きます」になる。“Ｂｗ”に従って検索英字列の“ｓａｋｍｓ”が検索英字列形成部２に回帰される。
【００２９】  次いで、“ｔ”が入力されると、検索英字列“ｓａｋｍｓｔ”が形成され、直接変換辞書４ｄに参照される。行５の見出しと一致し、先頭部の“ｓａｋ”は参考英字列として欄Ｂに記載されているので、これに基ずいて、後半の“ｍｓｔ”が複合助動詞の「ました」に変換され出力表示される。処方“Ｗ４”により既表示の「ます」が上書きされ、表示は「桜が咲きました」になる。“Ｂ３”に従って”ｍｓｔ”が回帰される。
【００３０】  次いで、“．”が入力されると、検索英字列“ｍｓｔ．”が形成され、直接変換辞書４ｄに参照される。行６の見出しと一致し、先頭部の“ｍｓｔ”が参考英字列として欄Ｂに記載されているので、これに基ずいて、後端の“．”が「。」に変換され出力表示される。処方“Ｗ０”により上書きは無く、表示は「桜が咲きました。」になる。“Ｂ０”に従って回帰英字列は無い。なお、代わりに”，”が入力され、行７に示すように、検索英字列が”ｍｓｔ，”（欄Ａ）であるが、“ｍｓｔ”は連接する“，”から中止形と解釈されるので、「まして、」（欄Ｄ）に変換され、出力表示される。この場合、処方Ｗ６により、既表示の「ました」が上書きされ、表示は「桜が咲きまして、」になる。Ｂ０により回帰英字列は無い。
【００３１】  次に、別の例として、“ｈａｇｉｔａｉ”を入力して「歯が痛い」を出力表示する経過について図１および表３を参考に説明する。
順に、“ｈ”，“ａ”，“ｇ”を入力し、検索英字列が３英字の“ｈａｇ”になると、分岐ブロック３を経て直接変換出力部４に進み、直接変換辞書４ｄに参照される。行８の見出しと一致し、「剥ぐ＊」に変換される。処方Ｗ０に従って上書きは無いので、変換語である「剥ぐ＊」が出力表示される。処方Ｂｗにより検索英字列全体の“ｈａｇ”が検索英字列形成部２に回帰される。
【００３２】  次いで、”ｉ”が入力され、検索英字列“ｈａｇｉ”が直接変換出力部４に移り、直接変換辞書４ｄに参照される。これは行９の見出しと一致し、「萩」に変換され出力表示される。この時、処方“Ｗ４”により既表示の「剥ぐ」が上書きされる。従って、表示は「萩」になる。“Ｂｗ”に従って検索英字列の“ｈａｇｉ”が検索英字列形成部２に回帰される。
【００３３】  続いて、“ｔ”が入力され、検索英字列“ｈａｇｉｔ”が直接変換出力部４に移り、直接変換辞書４ｄに参照され、行１０の見出しと一致する。この場合、検索英字列後尾の“ｉｔ”が次送り英字列として指定されており（欄Ｅ）、これに従って、頭部の“ｈａｇ”が被変換英字列となり（欄Ｃ）、参考英字列が“ｈａｇｉｔ”であることから、「歯が」に変換されて出力表示される。処方“Ｗ２”により既表示の「萩」が上書きされる。上記次送り英字列の”ｉｔ”は、変換されることなく、「歯が」に続いて図１の経路（ｄ）を経て出力表示されるとともに、処方“Ｂ２”に従って経路（ｂ）を経て回帰される。結果として、表示は欄Ｈに記載するように「歯がｉｔ」になる。
【００３４】  次いで、“ａ”が入力され、検索英字列“ｉｔａ”が直接変換出力部４に移り、直接変換辞書４ｄに参照され、行１１の見出しと一致する。「板」に変換され、上書き処方はＷ０で、既表示に直続して出力表示される。表示は「歯が板」になる。“Ｂｗ”に従って検索英字列の“ｉｔａ”が検索英字列形成部２に回帰される。続いて、“ｉ”が入力され、検索英字列“ｉｔａｉ”が直接変換出力部４に移り、直接変換辞書４ｄに参照され、行１２の見出しと一致する。「痛い」に変換され、処方“Ｗ０”により上書き無しに出力表示される。かくして、表示は、「歯が痛い」になる。処方Ｂ０に従って回帰英字列は無い。
【実施例】
【００３５】  上述した本発明によるローマ字簡略入力直接変換方法の実施例として、ローマ字を簡略入力した英字列およびこれより直接変換されて出力表示される仮名漢字文を次に示す。
入力英字列：
“ｈｒｓｔｎ  ｙｍｙｍｈ  ｗｔｋｓｋ  ｕｗｈｎ  ｈａｅｔｉｔ．”
（この英字列は見易いように文節ごとに間隔を置いているが、入力は間隔無しに行われる）
直接変換されて出力表示される仮名漢字文：
「故郷の山々は美しく夕日に映えていた。」【００３６】  図１および表４を参照して説明する。順に“ｈ”，“ｒ”，“ｓ”と入力され、検索英字列が“ｈｒｓ”になると、直接変換辞書４ｄに参照される。行１の見出しと一致し、変換仮名漢字欄の「古巣＊」に変換される。入力開始して初めての出力であるので、処方がＷ０、すなわち上書きバイトが“０”で、表示は「古巣」になる。回帰処方のＢｗに従い、検索英字列の“ｈｒｓ”が回帰される。【００３７】  続いて、“ｔ”が入力されると、検索英字列は“ｈｒｓｔ”となり、直接変換辞書４ｄに参照される。行２の見出しと一致し、変換仮名漢字欄の「故郷＊」に変換され、出力表示される。この際、上書き処方“Ｗ４”に従って４バイト（２全角）に相当する既表示の「古巣」が上書きされ、表示は「故郷」になる。また、処方“Ｂｗ”に従って検索英字列“ｈｒｓｔ”が回帰される。
【表４】
2007226751.tif 000006
【００３８】  続いて、”ｎ“が入力されると、検索英字列は”ｈｒｓｔｎ“になる。これは行３の見出しと一致する。回帰英字列の”ｈｒｓｔ“は名詞「故郷」の対応英字列であって、これを参考英字列として”ｎ“は１音節助詞として解釈され、変換仮名漢字欄の「の＊」に変換される。処方Ｗ０により、上書きは無く、既表示文字列に直続して出力表示される。かくして、表示は「故郷の」になる。回帰される英字列はＢ０に従って無い。【００３９】  続いて、順に“ｙ”，“ｍ”，“ｙ”が入力され、検索英字列が“ｙｍｙ”になるが、これは辞書の見出しには無く、従って、回帰される。次いで“ｍ”が入力され、検索英字列は“ｙｍｙｍ”になる。これは行４の見出しと一致し、「山々」に変換され、出力表示される。処方Ｗ０に従い、上書きは無く、表示は「故郷の山々」となる。処方Ｂｗに従って検索英字列の“ｙｍｙｍ”が回帰される。続いて、“ｈ”が入力されると、検索英字列は“ｙｍｙｍｈ”になリ、行５の見出しと一致する。変換仮名漢字欄の仮名漢字は、回帰英字列の“ｙｍｙｍ”を名詞の参考英字列として“ｈ”を１音節助詞と解釈した「は」に変換され、出力表示される。処方Ｗ０により上書きは無く、表示は「故郷の山々は」になる。回帰される英字列はＢ０に従って無い。【００４０】  次いで、順に、“ｗ”，“ｔ”，“ｋ”が入力されると、検索英字列は“ｗｔｋ”となり、直接変換辞書４ｄに参照されるが、一致する見出しは無く、そのまま回帰される。続いて、”ｓ”が入力されると、検索英字列は”ｗｔｋｓ“となり、直接変換辞書４ｄに参照される。行６の見出しと一致し、変換仮名漢字欄の「打ち消す」に変換され、出力表示される。処方Ｗ０に従い、上書きは無い。かくして、表示は「故郷の山々は打ち消す」になる。処方Ｂｗに従って検索英字列”ｗｔｋｓ“が回帰される。【００４１】  続いて、“ｋ”が入力されると、検索英字列は“ｗｔｋｓｋ”となり、直接変換辞書４ｄに参照される。行７の見出しと一致し、変換仮名漢字欄の「美しく」に変換され、出力表示される。この際、処方Ｗ８に従って、既表示の「打ち消す」が上書きされる。かくして、表示は「故郷の山々は美しく」になる。この場合、処方“Ｂ０”に従って”回帰英字列は無い。【００４２】  続いて、順に“ｕ”，“ｗ”，“ｈ”が入力されるが、検索英字列が“ｕｗｈ”になると、直接変換辞書４ｄに参照され、行８の見出しと一致し、「夕日」に変換され、出力表示される。処方Ｗ０に従って、上書きは無いので、表示は「故郷の山々は美しく夕日」になる。また処方Ｂｗに従って、検索英字列“ｕｗｈ”が回帰される。続いて、“ｎ”が入力されるが、行３の場合とは異なり、変換仮名漢字欄の第１候補「の」から第２候補の「に」に切り替えられ、出力表示される。処方Ｗ０に従い、上書きは無い。かくして、表示は「故郷の山々は美しく夕日に」になる。処方Ｂ０に従って、回帰英字列は無い。【００４３】  続いて、順に“ｈ”，“ａ”，“ｅ”が入力され、検索英字列“ｈａｅ”が形成される。行１０の見出しと一致し、変換仮名漢字欄の「映え＊」に変換され、処方Ｗ０に従って、上書きは無いので、現表示に直続して、「映え」が出力表示される。かくして、表示は「故郷の山々は夕日に映え」になる。また、処方Ｂｗに従って検索英字列”ｈａｅ”が回帰される。【００４４】  続いて、“ｔ”が、入力されると、検索英字列は“ｈａｅｔ”となり、この“ｔ”は“ｈａｅ”が参考英字列として動詞に対応することから助動詞と解釈され、変換仮名漢字欄に記載された「た＊」に変換される（行１１）。さらに、処方“Ｗ０”に従って、現表示の仮名漢字文に直続して「た」が出力表示される。かくして、表示は「故郷の山々は夕日に映えた」になる。この場合、処方“Ｂｗ”に従って、見出しの英字列“ｈａｅｔ”が検索英字列形成部２に回帰される。続いて、“ｉ”が入力されると、検索英字列は“ｈａｅｔｉ”となり、直接変換辞書４ｄに参照されるが、一致する見出しは無く、そのまま回帰される。【００４５】  続いて、“ｔ”が入力されると、検索英字列は“ｈａｅｔｉｔ”となり、“ｈａｅ”が参考英字列として動詞に対応することから“ｔｉｔ”が複合助動詞と解釈され、行１２の変換仮名漢字欄の「ていた」に変換される。さらに、処方Ｗ２に従って、既表示の「た」を上書きして出力表示される。かくして、表示は「故郷の山々は夕日に映えていた」になる。なお、処方Ｂ３に従って“ｔｉｔ”が回帰される。【００４６】  続いて“．”が入力されると、検索英字列は“ｔｉｔ”になり、行１３の見出しと一致し、「。」に変換される。これは特別の記号として直ちに出力表示される。前変換行程で“ｔｉｔ”が回帰された理由は、“．”の代わりに、“，”が入力された場合は、「ていて、」と再変換しなければならないので、この識別のために回帰させたものである。処方Ｗ０に従って上書きは無く、既表示の仮名漢字文に直続して追加表示される。かくして、表示は「故郷の山々は美しく夕日に映えていた。」になる。処方Ｂ０に従って回帰英字列は無い。【００４７】  ちなみに、次の比較は、本発明のローマ字簡略入力による打鍵数が、非簡略ローマ字入力に比べて激減し、仮名入力とほぼ同数になることを示している。
仮名入力：
「ふるさとのやまやまはうつくしくゆうひにはえていた。」（２５打鍵）
非簡略ローマ字入力：
“ｈｕｒｕｓａｔｏｎｏ  ｙａｍａｙａｍａｈａ  ｕｔｕｋｕｓｉｋｕ  ｙｕｕｈｉｎｉ  ｈａｅｔｅｉｔａ”（４５打鍵）
本発明によるローマ字の簡略入力：
“ｈｒｓｔｎ  ｙｍｙｍｈ  ｗｔｋｓｋ  ｕｗｈｎ  ｈａｅｔｉｔ”（２６打鍵）
【図面の簡単な説明】
【００４８】
【図１】  本発明の１実施形態に係わるローマ字簡略入力直接変換処理方法を実施するための装置の概略構成を図解したブロック図である。
【符号の説明】
【００４９】  １      ローマ字入力部
１１    英字入力手段
１２    入力英字表示部
２      検索英字列形成部
３      分岐ブロック
４      直接変換出力部
４ｄ    簡略ローマ字−仮名漢字直接変換処理辞書
５      全出力文字列表示部
【図１】
2007226751.tif 000007